(57)【要約】  システムと同じ周波数帯域又は隣接周波数帯域内の強い干渉パネルによって引き起こされる干渉を最小限にするために、第１のセルラー通信システムで使用するための通信方法を提案する。この方法は、着信信号を受信するステップと、着信信号を帯域濾波して、通信システムによって使用される第１の周波数帯域（Ｂ１）を濾波し、処理のために帯域濾波した信号を受信機ユニット（３５）に転送し、希望波を検出するように構成された信号検出器（３７）に処理済み信号を転送するステップと、受信信号の小部分をリダイレクトし、リダイレクトした小部分の電力を検出するステップと、検出した電力を使用して、信号検出器（３７）の機能を変更するステップとを含む。【選択図】図１
2011518504.tif 000002
【特許請求の範囲】
【請求項１】
第１の周波数帯域（Ｂ１）で動作する無線通信システムで使用するための通信装置（ＲＢＳ１、ＭＴ１）であって、前記通信装置が、前記第１の周波数帯域で受信信号を処理するための受信機ユニット（３５）と、前記受信機ユニット（３５）から処理済み信号を受信し、希望波を検出するように構成された信号検出器（３７）とを含み、前記通信装置が、干渉パルスの存在を検出し、干渉パルスの存在に関する情報を前記信号検出器（３７）に供給するように構成された干渉検出回路（４５、５１）をさらに含み、前記信号検出器が前記受信情報に基づいてその検出アルゴリズムを変更するように構成されることを特徴とする、通信装置（ＲＢＳ１、ＭＴ１）。
【請求項２】
前記受信信号の小部分を前記干渉検出回路（４５、５１）に向けるように構成された方向性結合器（４１、５３）をさらに含む、請求項１記載の通信装置。
【請求項３】
前記方向性結合器（５３）が、前記受信機ユニット（３５）への入力信号の小部分を前記干渉検出回路（５１）に向けるように構成され、前記干渉検出回路（５１）が、前記通信システムの前記周波数帯域内の干渉パルスの存在を検出するように構成される、上記請求項のいずれか１項に記載の通信装置。
【請求項４】
前記方向性結合器（４１）が、前記通信装置によって受信された全信号の小部分を前記干渉検出回路（４３）に向けるように構成される、上記請求項のいずれか１項に記載の通信装置。
【請求項５】
前記干渉検出回路（４５）が、前記第１の周波数帯域（Ｂ１）内の干渉のインジケータとして、前記第１の周波数帯域に隣接する第２の周波数帯域（Ｂ２）の信号電力を検出するように構成される、請求項４記載の通信装置。
【請求項６】
前記干渉検出回路が、前記第１の周波数帯域（Ｂ１）内の干渉のインジケータとして、前記第１の周波数帯域の信号電力を検出するように構成された電力検出器（４５）を含む、請求項４記載の通信装置。
【請求項７】
前記干渉検出回路が、干渉のインジケータとして、前記干渉パルスの電力スペクトル密度の特性に合わせて構成される、請求項４記載の通信装置。
【請求項８】
前記信号検出器（３７）から前記希望波を受信し、前記希望波の信号対雑音比を計算するように構成された信号対雑音比計算器（３９）と、前記計算器（３９）からの前記信号対雑音比と前記干渉検出回路（４５、５１）からの干渉パルスの存在に関する情報とを受信し、前記信号対雑音比と前記ＳＩＰとの関係を予測し、前記関係に関する情報を前記検出器に転送するように構成された雑音／ＳＩＰ計算器とをさらに含む、請求項４ないし７のいずれか１項に記載の通信装置。
【請求項９】
前記干渉検出回路（４５）から受信した前記干渉パルスの電力に関する情報と前記信号対雑音比計算器（３９）から受信した前記希望波の前記信号対雑音比とを相関させるように構成された相関器（４７）と、前記相関器（４７）から前記相関の結果に関する情報を受信するように構成されたＳＮＲ予測器（４９）とをさらに含む、請求項８記載の通信装置。
【請求項１０】
前記ＳＮＲ予測器（４９）が、前記電力検出器（４５）からＳＩＰ電力信号を受信するように構成され、前記帯域内雑音とＳＩＰパルスとの関係並びに前記電力検出器（４５）からの前記電力信号に基づいて強い干渉パルス中にチャネル内雑音又はＳＮＲを予測し、前記予測したＳＮＲを前記信号検出器（３７）に供給するように構成される、請求項９記載の通信装置。
【請求項１１】
少なくとも請求項１ないし１０のいずれか１項に記載の通信装置を含む、セルラー通信システム。
【請求項１２】
第１のセルラー通信システムで使用するための通信方法であって、
着信信号を受信するステップと、
前記着信信号を帯域濾波して、前記通信システムによって使用される第１の周波数帯域（Ｂ１）を濾波し、処理のために前記帯域濾波した信号を受信機ユニット（３５）に転送し、希望波を検出するように構成された信号検出器（３７）に前記処理済み信号を転送するステップと、
前記受信信号の小部分をリダイレクトし、前記リダイレクトした小部分の電力を検出するステップと、
前記検出した電力を使用して、前記信号検出器（３７）の機能を変更するステップと
を含む通信方法。
【請求項１３】
前記リダイレクトするステップが、帯域濾波後に前記着信信号について実行される、請求項１２記載の方法。
【請求項１４】
前記リダイレクトした信号の前記電力を検出する前に前記リダイレクトした信号を帯域濾波するステップを含む、請求項１２記載の方法。
【請求項１５】
前記第１の周波数帯域（Ｂ１）とは異なる第２の周波数帯域（Ｂ２）を濾波するために、前記リダイレクトした信号が帯域濾波される、請求項１４記載の方法。
【請求項１６】
前記リダイレクトした小部分の前記電力に関する情報が前記信号検出器（３７）に直接転送される、請求項１２ないし１５のいずれか１項に記載の方法。
【請求項１７】
干渉パルスの存在を判断するために、前記干渉パルスの電力密度スペクトルに関する情報が使用される、請求項１２ないし１５のいずれか１項に記載の方法。
【請求項１８】
干渉パルスがまったく存在しないときに正常ＳＮＲを検出するステップと、
前記リダイレクトした小部分の前記電力に関する情報及び前記正常ＳＮＲに基づいて干渉パルス中にＳＮＲを予測するステップと、
前記予測に関する情報を前記信号検出器（３７）に転送するステップと
をさらに含む、請求項１２ないし１６のいずれか１項に記載の方法。
【発明の詳細な説明】
【技術分野】
【０００１】
技術分野
本発明は、セルラー通信システムで使用するための無線基地局又は移動端末などの通信装置に関する。また、本発明は、このようなシステムで使用するための方法にも関する。
【背景技術】
【０００２】
背景及び関連技術
より大きい容量及びより高いデータ転送速度を提供するための現在及び今後の無線通信システムにおいて最も乏しい資源の１つは使用可能周波数スペクトルである。より多くのスペクトルを求める要求を満たすために可能な打開策は、より効率的な方法で、例えば、スペクトル共用により、限られたスペクトルを使用することである。これは、種々のシステムが同じスペクトルに割り振られ、これらのシステムがおそらく完全に異なる種類のもの（例えば、レーダ・システム及び陸上移動通信システム）であることを意味する。スペクトルを共用できるようにするために、他のシステムからの干渉を適切な方法で管理しなければならない。
【０００３】
現在の移動通信システムでは、他のシステムからの干渉は、通常、どのような特定の方法でも対処されていない。これは熱雑音又はシステム内干渉として処理され、このため、同じスペクトル内の他のシステムとの共存は実質的に不可能である。基準シンボル、制御信号、同期シンボル、及びユーザ・データに影響を及ぼす干渉がシステムに様々に影響を及ぼすという事実により、例えば、レーダ・システムからの強い干渉パルスは、非常に短い時間ではあるが、同期シンボル、基準シンボル、及び／又は制御信号に影響を及ぼすことにより、システムの性能に著しく影響を与える可能性がある。これは、同期を達成することが必要な第１のステップであり、基準シンボルはデータを表すものと想定され、制御信号はデータをデコードするために使用されるからである。この干渉は、種々の方法で、例えば、補償によるかあるいは影響を受けたシンボル又はブロックを廃棄することにより、処理することができる。これを可能にするために、信頼できる方法で干渉パルスを検出しなければならない。
【発明の概要】
【０００４】
発明の概要
本発明は、主として、他のシステムからの干渉が存在する周波数スペクトル内に（移動）通信システムを配備する問題を解決するためのものである（好ましい実施形態）。この干渉は、同一チャネル干渉、隣接干渉、又は任意の他のタイプの干渉である可能性がある。他のシステムは、移動通信システムに対する干渉側（interferer）と見なされ、高エネルギーを有する短い無線周波パルスを送信するものと想定される。パルスは、その持続時間が連続するパルス間の時間よりかなり短い場合に短いと見なされる。代わって、パルスは、システムにとって極めて重大な特定の信号（例えば、同期信号、制御信号、又は基準シンボル）に割り振られた資源間の間隔又はその資源の周期より短い場合に短いと見なされる場合もある。上記の特性を有する無線周波パルスは、本明細書の残りの部分では強い干渉パルス（ＳＩＰ：Strong Interfering Pulse）と呼ぶ。「かなり短い（considerably shorter）」という語句の解釈は様々になる可能性がある。状況によっては、パルス持続時間は、２つの連続パルスの起点間の時間の半分より短くなければならない。他のコンテキストでは、パルス持続時間は、おそらく、２つの連続するパルスの起点間の時間の３分の１より短くなければならない。
【０００５】
本発明は、第１の周波数帯域で動作する無線通信システムで使用するための通信装置に関し、前記通信装置は、第１の周波数帯域で受信信号を処理するための受信機ユニットと、受信機ユニットから処理済み信号を受信し、希望波を検出するように構成された信号検出器とを含み、前記通信装置は、干渉パルスの存在を検出し、干渉パルスの存在に関する情報を信号検出器に供給するように構成された干渉検出回路をさらに含み、信号検出器が受信情報に基づいてその検出アルゴリズムを変更するように構成されることを特徴とする。
【０００６】
当業者にとって明らかになるように、本発明の概念は、他のタイプの移動通信システム又は無線通信システムにも適用することができる。
【０００７】
また、本発明は、第１のセルラー通信システムで使用するための通信方法であって、
着信信号を受信するステップと、
着信信号を帯域濾波して、通信システムによって使用される第１の周波数帯域を濾波し、処理のために帯域濾波した信号を受信機ユニットに転送し、希望波を検出するように構成された信号検出器に処理済み信号を転送するステップと、
受信信号の小部分をリダイレクトし、リダイレクトした小部分の電力を検出するステップと、
検出した電力を使用して、信号検出器の機能を変更するステップと
を含む通信方法に関する。
【０００８】
第２のシステムは、例えば、セルラー・システムに影響を及ぼす周波数範囲内のレーダ・パルスを送信するレーダ・システムにすることができる。本発明の技法を使用することにより、乏しい資源の電波スペクトルのうちのより多くのもの、例えば、現在、種々の種類のレーダ・システムが操作される周波数帯域のうちの保護帯域が、移動体通信システムに使用可能になる。
【０００９】
好ましい一実施形態では、通信装置は、受信信号の小部分を干渉検出回路に向けるように構成された方向性結合器をさらに含む。典型的に、干渉パルスは、第１の周波数帯域に隣接する第２の周波数帯域でその最大値を有することになるが、第１の周波数帯域でも干渉を引き起こすことになる。
【００１０】
方向性結合器は、信号を帯域濾波した後、受信機ユニットへの入力信号の小部分を干渉検出回路に向けるように構成することができ、その場合、干渉検出回路は、第１の周波数帯域内の干渉パルスの存在を検出するように構成される。
【００１１】
代わって又は加えて、方向性結合器は、受信機への入力信号を帯域濾波する前に、通信装置によって受信された全信号の小部分を干渉検出回路に向けるように構成することができる。この場合、干渉検出回路は、好ましくは、第１の周波数帯域内の干渉のインジケータとして、第１の周波数帯域に隣接する第２の周波数帯域で信号電力を検出するように構成される。
【００１２】
一実施形態では、干渉検出回路は、第１の周波数帯域内の干渉のインジケータとして、第１の周波数帯域の信号電力を検出するように構成された電力検出器を含む。強い干渉パルスの電力は、通常、無線通信システムの信号電力よりかなり高くなる。
【００１３】
代替一実施形態では、干渉検出回路は、干渉のインジケータとして、干渉パルスの電力スペクトル密度の特性に合わせて構成される。
【００１４】
計算を実行するために、通信装置は、例えば、信号検出器から希望波を受信し、希望波の信号対雑音比を計算するように構成された信号対雑音比計算器と、計算器からの信号対雑音比と干渉検出回路からの干渉パルスの存在に関する情報とを受信し、信号対雑音比とＳＩＰとの関係を予測し、前記関係に関する情報を検出器に転送するように構成された雑音／ＳＩＰ計算器とを含む、様々な回路を含むことができる。
【図面の簡単な説明】
【００１５】
図面の簡単な説明
例として、添付図面に関連して、本発明について以下により詳細に説明する。
【００１６】
【図１】２つの異なるセルラー・システムが同じ周波数スペクトルを共用し、その結果、相互に干渉する状況を概略的に示している。
【図２】一例として、通信システムと干渉システムの周波数の重なりを示している。
【図３】本発明を実装するために使用可能なＳＩＰ検出及びジャミング検出装置を示している。
【図４】本発明による方法の全体的な流れ図である。
【図５】本発明の一実施形態による方法のより詳細な流れ図である。
【発明を実施するための形態】
【００１７】
実施形態の詳細な説明
図１は、移動端末ＭＴ１と通信している無線基地局ＲＢＳ１によって表されるセルラー通信システムの概略図を示している。この例では、レーダ・システムＲ１は、レーダ・パルスがセルラー通信システム内で干渉を引き起こすことができるような周波数スペクトルで動作する。干渉システムは、セルラー通信システムの周波数スペクトルに少なくとも部分的に重なるか又はその他の影響を及ぼすような周波数スペクトル内のパルスを送出する任意の種類のシステムになる可能性があることを理解されたい。
【００１８】
本発明によれば、通信システムの通信ユニット、即ち、無線基地局ＲＢＳ１又は移動端末ＭＴ１のうちの少なくとも１つは、他のシステムからの妨害信号を検出し、適切なアクションを行うための手段を含む。図１では、無線基地局ＲＢＳ１は、他の通信システムからの妨害信号の存在を検出するための計算手段１０と、妨害信号の検出に基づいて適切なアクションを決定し行うための処理手段１１とを含む。その代わりに、妨害信号の存在に関する情報を通信システム内の他のユニット（図示せず）から受信することもできる。
【００１９】
通信システムは、定期的な時点で、例えば、各フレーム内で一度又は一定の回数、少なくとも１つのタイプのシステム感知可能データを送出するものと想定される。この場合、処理手段１１は、干渉パルスを回避できるようにシステム感知可能データを送信するための新しい時点を決定するように構成される。これは、以下により詳細に論じるように新しい時点を計算することによって行うことができる。代わって、可能な新しい時点を処理手段に関連するテーブル１３に保管することができる。この場合、妨害信号が検出されると、処理手段は、システム感知可能データの伝送のタイミングを変更しなければならないと判断し、この伝送のための新しい時点をテーブルから選択することになる。このテーブルは、以下の考察により干渉パルス間の種々の最小間隔に関する種々の項目を含むことができる。
【００２０】
同様に、第１のシステムの移動端末ＭＴ１は、他の通信システムからの妨害信号の存在を検出するための検出手段２０と、妨害信号の検出に基づいて適切なアクションを決定し行うための処理手段２１であって、特に、計算によるか又はテーブル２３の中を見ることにより新しい時点を決定するための処理手段２１とを含む。無線基地局及び移動端末のそれぞれは、所定の時点の代わりに新しい時点で信号を伝送するために、それぞれアンテナ１４、２４によって図１に表される伝送手段を含む。当然のことながら、システム感知可能情報の一部についてのみ、その時点を変更することは可能である。
【００２１】
ＳＩＰ干渉が存在する状況について通信システムを適応させるために行うことができる設計措置がいくつかある。１つの措置は、規則的なＳＩＰがいつでもシステム感知可能データに影響を及ぼすわけではないことを確認することである。これは、２通りの方法で実施することができる。１つは、擬似ランダム時間方式でシステム感知可能データを伝送することである。この場合、妨害信号は周期的なものである必要はなく、それが周期的なものである場合、その周期性は既知のものである必要はない。もう１つの方法は、システム感知可能データをユーザ・データ又はおそらく他のシステム感知可能データと交換するためのメカニズムを備え、そのシステム感知可能データのために最良の構成を選択することである。これは、当然のことながら、その変更を端末に伝達する方法に依存し、ＳＩＰが多かれ少なかれ予測可能であるものと想定する。
【００２２】
例えば、同期シンボルはあまり規則正しく伝送することができず、即ち、例えば、Ｎフレームごとに伝送することができない。これについては、以下により詳細に論じる。
【００２３】
同様に、基準シンボル及び制御信号はあまり規則正しく伝送することができないであろう。以下では、第１及び第２の１次同期シンボルを使用するシステムに適用される本発明の方法の一例について説明する。当業者によって理解されるように、周期的又は規則正しい構造を有する資源に割り振られる他のタイプのシンボル又は情報、例えば、基準シンボル又は制御情報に同様の方法を適用することができる。
【００２４】
さらに、システム感知可能データは、今日の標準的な慣行と比較して、異なる保護を有する可能性がある。制御情報は、例えば、周波数のみではなく時間の経過につれて、さらにインターリーブすることができる。基準シンボルは、より高密度で構成することができ、おそらくより低い電力で伝送することができる。
【００２５】
第１の好ましい実施形態によれば、すべての同期シンボルが干渉パルスによって妨害されるわけではないことを保証するために、同期シンボルの不規則な間隔が使用される。
【００２６】
以下では、長期進化（ＬＴＥ：Long Term Evolution）システムに関連して本発明について論じる。ＬＴＥについては、例えば、３ＧＰＰ  ＴＳ  ３６．２０１「Long-Term Evolution (LTE) physical layer; General description」に記載されている。
【００２７】
強い干渉パルスを検出する単純な方法は、アナログ又はデジタル領域で、特定のしきい値より上の信号エネルギーの突然の発生としてそれを検出することになるであろう。強い干渉パルスの信号エネルギーは典型的に、通信システム内で発生した期待信号エネルギーよりかなり高くなる。
【００２８】
図２は、通信システムと干渉システムとの間の１つの可能なタイプの干渉を示している。周波数は水平軸に沿って示され、垂直軸は電力スペクトル密度を表している。通信システムは第１の周波数帯域Ｂ１を使用する。この例の干渉システムは隣接周波数帯域Ｂ２で動作し、この周波数帯域は第１の周波数帯域に重ならない。強い干渉パルスの周波数スペクトルは曲線ＳＩＰによって示されている。これで分かるように、強い干渉パルスのピークは、隣接周波数帯域の中心になり、従って、周波数帯域Ｂ１の外側になる。しかし、強い干渉パルスは、図２に示されているように、通信システムが操作される帯域内にそのエネルギーが漏れるほど強くなると期待される。従って、隣接周波数帯域内の測定値を使用して、通信システムによって使用される第１の周波数帯域内の干渉を予測することができる。
【００２９】
ＳＩＰを検出するためのもう１つの方法は、通信システムが操作される周波数帯域内の電力スペクトル密度を特徴付けることである。これは、図２に示されているように、ＳＩＰ信号エネルギーが周波数につれて減衰するので可能である。ＳＩＰの電力スペクトル密度が既知である限り、干渉システムが通信システムと同じ周波数帯域内で操作される場合でも、この方法を使用することができる。
【００３０】
本発明の検出アルゴリズムは、ＳＩＰの部分特徴付けを入手することによって改善することができる。それがＳＩＰである場合、エネルギーは時間の経過につれて急速に減衰することになる。どの程度速く減衰するかは環境に依存する。分散性の軽い環境である場合、減衰は分散性の高い環境より速くなる。その環境が分散性であるかどうかは、すでに通信システムに固有のチャネル推定値から推定することができる。送信機と受信機との間のチャネルが分散性である場合、ＳＩＰに影響を及ぼしたチャネルも分散性である可能性がある。これは、分散チャネルを引き起こす散乱体（scatterer）が送信機ではなく端末に近い可能性があるという事実による。信号エネルギーが時間の経過につれて十分急速に減衰しない場合、チャネルの分散性を考慮に入れると、干渉はおそらくＳＩＰではない。
【００３１】
ＳＩＰがあるシンボルについて検出された場合、それは、信号エネルギーの減衰が即座ではないという事実により、後続シンボルにも影響を及ぼす可能性があることは、留意すべきことである。しかし、後続シンボルでは、ＳＩＰは、それが検出不能になるほど減衰している可能性がある。影響を受けた後続シンボルの数は、通信システムが操作される環境の分散性の推定値から推定される可能性がある。
【００３２】
受信機がＳＩＰ周波数帯域の近くで動作している場合、その希望波の受信性能は、図３に示されているように、例えば、ＳＩＰ検出及びジャミング検出回路を取り入れることによって改善することができる。
【００３３】
図３に示されている受信機は、信号を送信し受信するためのアンテナ３１を含む。信号の送信のために、送信部ＴＸが構成されているが、これについてはここで詳細に論じない。受信信号は、当技術分野で既知の方法で、帯域フィルタ３３により濾波され、アナログ受信機３５に転送される。希望波は受信機３５から検出器３７に転送され、信号対雑音比ＳＮＲを計算するために構成されたＳＮＲ計算器３９にその検出器から転送される。
【００３４】
図３に示されている回路は、２通りの方法で強い干渉パルスを検出するための複数ユニットを含み、これらの方法は個別に使用するか又は一緒に使用することができる。
【００３５】
簡単に上述したように、ＳＩＰパルスを検出する第１の方法は、干渉システムの周波数帯域Ｂ２内でＳＩＰパルスを検出することになるであろう。前述の通り、この第２の周波数帯域Ｂ２は、通常、第１の周波数帯域Ｂ１に隣接するが、２つの周波数帯域Ｂ１、Ｂ２は、部分的に又は完全に重なる場合もある。このため、図３の装置は、アンテナ３１によって受信された着信信号の小部分を第２の帯域フィルタ４３に向けるために、この例では帯域フィルタ３３への入力に構成された方向性結合器４１を有する。第２の帯域フィルタ４３は、図２に関して論じたように、ＳＩＰ周波数帯域Ｂ２を濾波するように構成されている。第２の帯域フィルタからの濾波した信号は、ＳＩＰ信号の電力を検出するように構成された電力検出器４５に供給される。電力検出器からの信号は雑音／ＳＩＰ相関器４７に供給され、この相関器もＳＮＲ計算器３９からの計算済み信号対雑音比を受信するように構成されている。相関器４７は、電力検出器４５によって決定されたＳＩＰパルス電力をＳＮＲ計算器３９によって計算された希望波のＳＮＲと相関させるように構成されている。この相関の結果はＳＮＲ予測器４９に供給される。ＳＮＲ予測器４９は、電力検出器４５からのＳＩＰ電力信号も受信し、帯域内雑音とＳＩＰパルスとの関係並びに電力検出器４５からの電力信号に基づいて、強い干渉パルス中のチャネル内雑音又はＳＮＲを予測するように構成されている。予測したＳＮＲは検出器３７に供給され、強い干渉パルス中に希望波に関する検出アルゴリズムを改善するために使用することができる。受信ユニット３５内の信号の処理は電力検出器４５及びＳＮＲ予測器４９内の処理より時間がかかるので、パルス中のＳＮＲは、影響を受けた信号が信号検出器３７に達する前にＳＮＲ予測器４９によって予測することができる。
【００３６】
図３では、帯域内信号が受信機３５内でひずむほど高くなる時期を検出するために、ジャミング検出器５１も構成されている。ジャミング検出器は、帯域内信号の小部分をジャミング検出器５１に向けるために二重フィルタ３３の下流に構成された方向性結合器５３により帯域内信号の小部分を受信する。ジャミング検出器５１は帯域内電力を測定するように構成された電力検出器であり、次にこの帯域内電力を使用して、受信機がブロックされているかどうかを判断する。保護回路５５は受信機３５の入力に構成されている。入力電力が受信機３５には高すぎる場合、保護回路５５は、受信経路内に切り替わり、その信号が受信機に達するのを防止し、それにより受信機を保護する。これは、ブロックされた受信機の回復時間を短縮し、それを永続的損傷から保護することになる。
【００３７】
受信機がブロックされるか又は入力保護が切り替わると、有用な情報はまったく検出器３７に供給されない。アナログ受信機３５の状態は検出器３７に信号で伝えられ、検出器はこの情報を使用して、希望波に関する検出アルゴリズムを改善することができる。
【００３８】
検出器３７は、ＳＮＲ予測器によって提供された情報を使用して、希望波に関する検出アルゴリズムを改善することができる。例えば、定義済みしきい値より低いＳＮＲを有する任意の受信ビットは省略することができる。
【００３９】
このため、本発明による方法全体は、図４に示されている通りにすることができる。ステップＳ４１では、通信装置によって信号が受信される。この信号は、帯域濾波され、処理のために通信装置内の受信機ユニット３５に転送される。処理済み信号は、受信機ユニットから、希望波を検出するための信号検出器に供給される。
【００４０】
ステップＳ４２は帯域濾波の前又は後に実行することができ、このステップでは、受信信号の小部分が電力検出器にリダイレクトされる。このリダイレクトが帯域濾波後に実行される場合、即ち、帯域フィルタ３３による帯域濾波後に方向性結合器５３によって実行される場合、電力検出器に供給される信号は電力検出器への入力信号と同じになる。従って、この場合、電力検出器は、通信装置によって使用される周波数帯域内の全電力を検出することになる。このリダイレクトが帯域濾波前に実行される場合、即ち、帯域フィルタ４３に対して方向性結合器４１によって実行される場合、帯域フィルタによって濾波される周波数範囲は、通信装置によって使用されるものと同じ範囲か又は異なる範囲になる可能性がある。好ましくは、後者の場合、帯域フィルタ４３は、強い干渉パルスの周波数帯域を濾波するように構成される。
【００４１】
ステップＳ４３では、電力検出器はそれに供給された信号の電力を検出し、ステップＳ４４では、その電力に関する情報を信号検出器に転送する。この情報は、信号検出器に直接転送されるか又は図５に関してより詳細に論じるＳＮＲ予測器を介して転送される可能性がある。ステップＳ４５では、信号検出器３７は受信情報を使用して、検出アルゴリズムを変更する。
【００４２】
最も単純なケースでは、電力検出器によって検出された電力は通信システムによって使用される周波数範囲内の全電力である。この全電力が定義済みしきい値を超える場合、受信ユニットは信号を処理できなくなり、受信ユニットはブロックされる。この場合、前述の通り、保護回路５５により強すぎる信号が受信ユニット３５に達するのを防止することは有利なことである。入力信号が強すぎるという情報も信号検出器３７に送信される。保護回路が構成されているかどうかにかかわらず、信号検出器は、受信ユニット３５がブロックされることと、それから受信した任意の信号が信頼できなくなることを把握する。受信ユニット３５内の処理は、電力検出器４５、５１から直接供給された信号に比較して、その信号をわずかに遅延させるので、信号検出器３７は受信ユニット３５からの信号が影響を受ける少し前にこれを把握することになる。
【００４３】
図５には、より高度な方法が示されている。
【００４４】
ステップＳ５１では、通信装置によって信号が受信される。この信号は、帯域濾波され、処理のために通信装置内の受信機ユニットに転送される。処理済み信号は、受信機ユニットから、希望波を検出するための信号検出器に供給される。
【００４５】
ステップＳ５２では、帯域濾波前に受信信号の小部分が電力検出器にリダイレクトされる。この小部分は帯域濾波される。帯域フィルタによって濾波される周波数範囲は、通信装置によって使用されるものと同じ範囲か又は異なる範囲になる可能性がある。好ましくは、周波数範囲は干渉システムによって使用されるものである。
【００４６】
ステップＳ５３では、電力検出器はそれに供給された信号の電力を検出し、ステップＳ５４では、その電力に関する情報を信号対雑音比予測器４９に転送する。ステップＳ５５では、信号対雑音比予測器４９は、ステップＳ５３で受信した電力情報並びに受信機ユニットによって受信された正常信号、即ち、干渉パルスがまったくない信号の信号対雑音比とＳＩＰとの相関関係に関する情報に基づいて、干渉パルス中に信号対雑音比を予測する。
【００４７】
ステップＳ５６では、予測した信号対雑音比が信号検出器３７に供給される。ステップＳ５７では、信号検出器３７は、予測した信号対雑音比に基づいてその検出アルゴリズを変更し、強い干渉パルスの存在を補償する。
【００４８】
好ましい一実施形態では、長期統計を使用して、信号対雑音比と隣接帯域電力との関係を導出する。このようにして、時間の経過につれて登録されたパターンに基づいて干渉パルスの発生を予測することができる。
【図１】
2011518504.tif 000003
【図２】
2011518504.tif 000004
【図３】
2011518504.tif 000005
【図４】
2011518504.tif 000006
【図５】
2011518504.tif 000007
【手続補正書】
【提出日】平成22年7月2日(2010.7.2)
【手続補正１】
【補正対象書類名】特許請求の範囲
【補正対象項目名】全文
【補正方法】変更
【補正の内容】
【特許請求の範囲】
【請求項１】
第１の周波数帯域（Ｂ１）で動作する無線通信システムで使用するための通信装置（ＲＢＳ１、ＭＴ１）であって、前記通信装置（ＲＢＳ１、ＭＴ１）が、前記第１の周波数帯域で受信信号を処理するための受信機ユニット（３５）と、前記受信機ユニット（３５）から処理済み信号を受信し、希望波を検出するように構成された信号検出器（３７）とを含み、前記通信装置（ＲＢＳ１、ＭＴ１）が、干渉パルスの存在を検出し、干渉パルスの存在に関する情報を前記信号検出器（３７）に供給するように構成された干渉検出回路（４５、５１）と、前記通信装置によって受信された全信号の小部分を前記干渉検出回路（４５、５１）に向けるように構成される方向性結合器（４１、５３）と、前記信号検出器（３７）から前記希望波を受信し、前記希望波の信号対雑音比を計算し、前記信号対雑音比と前記干渉パルスとの関係を予測し、前記関係に関する情報を前記検出器（３７）に転送するように構成された信号対雑音比計算器（３９）と、をさらに含み、前記信号検出器（３７）が前記受信情報に基づいてその検出アルゴリズムを変更するように構成されることを特徴とする、通信装置（ＲＢＳ１、ＭＴ１）。
【請求項２】
前記方向性結合器（４１、５３）が、前記受信信号全体の小部分を前記干渉検出回路（４５、５１）に向けるように構成される、請求項１記載の通信装置。
【請求項３】
前記方向性結合器（４１、５３）が、前記受信機ユニット（３５）への入力信号の小部分を前記干渉検出回路（４５、５１）に向けるように構成され、前記干渉検出回路（４５、５１）が、前記通信システムの前記周波数帯域内の干渉パルスの存在を検出するように構成される、請求項２記載の通信装置。
【請求項４】
前記干渉検出回路（４５、５１）が、前記第１の周波数帯域（Ｂ１）内の干渉のインジケータとして、前記第１の周波数帯域に隣接する第２の周波数帯域（Ｂ２）の信号電力を検出するように構成される、請求項１記載の通信装置。
【請求項５】
前記干渉検出回路が、前記第１の周波数帯域（Ｂ１）内の干渉のインジケータとして、前記第１の周波数帯域の信号電力を検出するように構成された電力検出器（４５）を含む、請求項１記載の通信装置。
【請求項６】
前記干渉検出回路（４５、５１）が、干渉のインジケータとして、前記干渉パルスの電力スペクトル密度の特性に合わせて構成される、請求項１記載の通信装置。
【請求項７】
前記干渉検出回路（４５、５１）から受信した前記干渉パルスの電力に関する情報と前記信号対雑音比計算器（３９）から受信した前記希望波の前記信号対雑音比とを相関させるように構成された相関器（４７）と、前記相関器（４７）から前記相関の結果に関する情報を受信するように構成されたＳＮＲ予測器（４９）とをさらに含む、請求項１ないし６のいずれか１項に記載の通信装置。
【請求項８】
前記ＳＮＲ予測器（４９）が、前記電力検出器（４５）からＳＩＰ電力信号を受信するように構成され、前記帯域内雑音とＳＩＰパルスとの関係並びに前記電力検出器（４５）からの前記電力信号に基づいて強い干渉パルス中にチャネル内雑音又はＳＮＲを予測し、前記予測したＳＮＲを前記信号検出器（３７）に供給するように構成される、請求項７記載の通信装置。
【請求項９】
少なくとも請求項１ないし８のいずれか１項に記載の通信装置を含む、セルラー通信システム。
【請求項１０】
第１のセルラー通信システムで使用するための通信方法であって、
着信信号を受信するステップと、
前記着信信号を帯域濾波して、前記通信システムによって使用される第１の周波数帯域（Ｂ１）を濾波し、処理のために前記帯域濾波した信号を受信機ユニット（３５）に転送し、希望波を検出するように構成された信号検出器（３７）に前記処理済み信号を転送するステップと、
前記通信装置によって受信された全信号の小部分を前記干渉検出回路（４５、５１）に向けるステップと、
信号検出器（３７）から前記希望波を受信し、前記希望波の信号対雑音比を計算し、計算器（３９）からの前記信号対雑音比と干渉パルスの存在に関する情報とを受信し、前記信号対雑音比と前記干渉パルスとの関係を予測し、前記関係に関する情報を前記検出器（３７）に転送し、前記受信情報に基づいてその検出アルゴリズムを変更するステップと
を含む通信方法。
【請求項１１】
前記受信信号の小部分をリダイレクトし、前記リダイレクトした小部分の電力を検出するステップと、
前記検出した電力を使用して、前記信号検出器（３７）の機能を変更するステップと
を含む、請求項１０記載の通信方法。
【請求項１２】
前記リダイレクトするステップが、帯域濾波後に前記着信信号について実行される、請求項記載の方法。
【請求項１３】
前記リダイレクトした信号の前記電力を検出する前に前記リダイレクトした信号を帯域濾波するステップを含む、請求項１１記載の方法。
【請求項１４】
前記第１の周波数帯域（Ｂ１）とは異なる第２の周波数帯域（Ｂ２）を濾波するために、前記リダイレクトした信号が帯域濾波される、請求項１３記載の方法。
【請求項１５】
前記リダイレクトした小部分の前記電力に関する情報が前記信号検出器（３７）に直接転送される、請求項１０ないし１４のいずれか１項に記載の方法。
【請求項１６】
干渉パルスの存在を判断するために、前記干渉パルスの電力密度スペクトルに関する情報が使用される、請求項１０ないし１４のいずれか１項に記載の方法。
【請求項１７】
干渉パルスがまったく存在しないときに正常ＳＮＲを検出するステップと、
前記リダイレクトした小部分の前記電力に関する情報及び前記正常ＳＮＲに基づいて干渉パルス中にＳＮＲを予測するステップと、
前記予測に関する情報を前記信号検出器（３７）に転送するステップと
をさらに含む、請求項１０ないし１６のいずれか１項に記載の方法。
【国際調査報告】
2011518504.tif 000008
2011518504.tif 000009
2011518504.tif 000010